(57)【要約】【課題】  アダプタの係止部材と照明器具本体の係止受部とを確実に係止させて、照明器具本体がアダプタから不用意に外れない天井直付け照明器具の取り付け装置を提供する。【解決手段】  天井直付け照明器具の取り付け装置のアダプタ（１）に、側壁部（３２）から突出するように付勢され、前記係止受部（２２）に係止される係止位置から前記係止受部（２２）より離脱される解除位置まで進退自在に設けられる１対の係止部材と、前記各係止部材を相互に連結するとともに、揺動自在に支持され、揺動させることにより係止部材を連動させて解除位置に後退させる連結部材（７）と、下側に露出して揺動操作により前記連結部材（７）を揺動させる解除操作部（８）とを備える。【選択図】  図１
2005216522.tif 000002
【特許請求の範囲】
【請求項１】
建物天井面（Ｒ）に設置された引掛シーリング（Ｓ）に電気的に接続された状態で取付けられ、照明器具本体（２）の挿入孔（２１）に挿入された状態で照明器具本体（２）側の係止受部（２２）と係止されるアダプタを有する天井直付け照明器具の取り付け装置であって、アダプタ（１）は、
側壁部（３２）から突出するように付勢され、前記係止受部（２２）に係止される係止位置から前記係止受部（２２）より離脱される解除位置まで進退自在に設けられる１対の係止部材と、
前記各係止部材を相互に連結するとともに、揺動自在に支持され、揺動させることにより係止部材を連動させて解除位置に後退させる連結部材（７）と、
下側に露出して揺動操作により前記連結部材（７）を揺動させる解除操作部（８）とを備えたことを特徴とする天井直付け照明器具の取り付け装置。
【請求項２】
各係止部材と連結部材（７）とが連結される連結位置が係止部材の進退方向と交差する方向に並んでおり、連結部材（７）を揺動自在に支持する支持位置が、前記各連結位置の間に設けられたことを特徴とする請求項１に記載の天井直付け照明器具の取り付け装置。
【請求項３】
係止部材の後部の一側に延設部が形成されるとともに他側に退避用凹欠部が形成され、一方の係止部材の延設部と他の係止部材の退避用凹欠部とが互いに対向するように配設されており、各延設部で連結部材（７）と連結されたことを特徴とする請求項１または２のいずれか１項に記載の天井直付け照明器具の取り付け装置。
【請求項４】
連結部材（７）または解除操作部（８）に係脱自在であって、連結部材（７）または解除操作部（８）に係合させることにより、連結部材（７）の揺動を阻止するロック機構（Ｌ）を設けたことを特徴とする請求項１から３のいずれか１項に記載の天井直付け照明器具の取り付け装置。
【発明の詳細な説明】
【技術分野】
【０００１】
本発明は、建物天井面に設置された引掛シーリングに照明器具本体を取り付ける、天井直付け照明器具の取り付け装置に関する。
【背景技術】
【０００２】
アダプタを有する天井直付け照明器具の取り付け装置では、建物天井面に設置された引掛シーリングにアダプタが電気的に接続された状態で取付けられる。アダプタには複数の係止部材が径方向に進退自在に設けられている。アダプタが照明器具本体の挿入孔に挿入された状態で前記係止部材が照明器具本体側の係止受部と係止され、照明器具本体が建物天井面に取り付けられる。アダプタの下側には前記係止部材を操作する解除操作部が設けられており、照明器具本体を取り外す場合は、解除操作部を操作して係止部材をアダプタの内部に後退させると係止部材が係止受部から離脱されて照明器具本体がアダプタから取り外される。
【０００３】
例えば特許文献１に記載の天井直付け照明器具の取り付け装置では、アダプタの複数の係止部材はそれぞれ独立して設けられており、各係止部材はそれぞれ独立した弾性バネでアダプタの側壁部から突出するように付勢されている。アダプタに照明器具本体を取り付ける場合は、照明器具本体の挿入孔にアダプタを挿入するように照明器具本体を押し上げる。挿入穴の端縁部が係止部材のテーパ面に当接し、係止部材がアダプタの内側に押し込まれる。アダプタの係止部材と照明器具本体の係止受部とが対向する位置まで照明器具本体が押し上げられると、係止部材はアダプタの側壁部から外側に突出して係止受部と係止される。アダプタから照明器具本体を取り外す場合には、解除操作部をアダプタの内側へ摺動させると係止部材が後退するため、一方の手で照明器具本体を支持しながら、他方の手の指を両解除操作部に掛け、両解除操作部を互いに引き寄せるように操作することで係止部材と係止受部との係止が解除される。
【０００４】
また、例えば特許文献２に記載の天井直付け照明器具の取り付け装置では、アダプタに照明器具本体を取り付ける場合、特許文献１に記載の発明と同様に、照明器具本体の挿入孔にアダプタを挿入するように照明器具本体を押し上げて取り付ける。アダプタから照明器具本体を取り外す場合には、解除操作部をアダプタの外側へ摺動させると係止部材が後退するため、両手で照明器具本体の中央部を支持しながら、両手の親指をそれぞれ解除操作部に掛け、両解除操作部を互いに引き離すように操作することで係止部材と係止受部との係止が解除される。
【０００５】
また、天井直付け照明器具の取り付け装置では、解除操作部が不用意に操作されてアダプタに取り付けた照明器具本体が外れないように、ロック機構が設けられている。例えば特許文献２に記載の天井直付け照明器具の取り付け装置では、各係止部材にそれぞれ解除操作部が設けられているため、各解除操作部に係合するロック部材を設けている。
【特許文献１】特開平９−９７５１４号公報
【特許文献２】特開平１１−２１３７４５号公報
【発明の開示】
【発明が解決しようとする課題】
【０００６】
上記従来の天井直付け照明器具の取り付け装置では、アダプタの各係止部材が独立しているため、いずれかの係止部材が動作不良となる畏れがあり、動作不良となっていることが作業者に分かり難い。すなわち、一方の係止部材が係止受部と係止状態になっていても、他方の係止部材が解除状態になっている場合がある。いずれかの係止部材が解除状態にある場合はアダプタに照明器具本体が完全に取り付けられた状態ではない。このような場合、照明器具本体がアダプタから不用意に外れて落下する危険がある。
【０００７】
また、アダプタに照明器具本体を取り付ける際に、照明器具本体が傾斜した状態で押し上げられる場合がある。この場合、係止部材が独立しているため、照明器具本体がテーパ面に当接した係止部材から片方づつ押し込まれること、及び係止部材のテーパ面に対する当たり角度が相違して係止部材が押し込まれ難くなることから、係止部材が円滑に押し込まれず、照明器具本体が係止部材に引っ掛かることとなる。このため、作業者は照明器具本体を揺すったり、より強く押し上げて係止部材との引っ掛かりを解消させる必要が生じ、円滑な取り付け作業ができないという問題がある。
【０００８】
また、アダプタから照明器具本体を取り外す際には、独立した係止部材を全てアダプタ内に後退させなければならない。しかし、係止部材が独立しているため、全ての係止部材を同時に後退させることは困難である。従って、係止部材が後退して、一方の係止部材が解除状態になっていても、他方の係止部材が係止受部と係止状態のままとなる。この場合、照明器具本体は斜めにずれて両方の係止部材が解除状態になるまで係止部材に引っ掛かり、取り外し難いため、アダプタから照明器具本体を取り外す作業が円滑に行なえないという問題がある。
【０００９】
また、上記従来の天井直付け照明器具の取り付け装置では、各解除操作部にロック部材を係合させて各係止部材と係止受部とが不用意に離脱されないようにしている。相互に離れた位置に設けられる解除操作部にロック部材を係合させる必要があるため、ロック機構が大きく複雑になり、ロック機構を設けるための大きなスペースが必要になるという問題がある。
【００１０】
本発明は、前記各問題点に鑑みてなされたものであって、その第１の目的は、アダプタに照明器具本体を取り付ける場合に、係止部材と係止受部とを確実に係止させて、照明器具本体がアダプタから不用意に外れない天井直付け照明器具の取り付け装置を提供することにある。
第２の目的は、アダプタに照明器具本体を取り付ける際に、照明器具本体が傾斜した状態で押し上げられても、係止部材が円滑に押し込まれ、照明器具本体が係止部材に引っ掛かることなくアダプタに取り付けられて、円滑な取り付け作業ができる天井直付け照明器具の取り付け装置を提供することにある。
第３の目的は、アダプタから照明器具本体を取り外す際に、係止部材を全て同時にアダプタ内に後退させることができ、アダプタから照明器具本体を取り外す作業が円滑に行なえる天井直付け照明器具の取り付け装置を提供することにある。
第４の目的は、ロック部材を小さく簡単な構造にして、ロック機構を設けるためのスペースを小さくすることができる天井直付け照明器具の取り付け装置を提供することにある。
【課題を解決するための手段】
【００１１】
前記目的を達成するため、請求項１に記載の発明では、建物天井面（Ｒ）に設置された引掛シーリング（Ｓ）に電気的に接続された状態で取付けられ、照明器具本体（２）の挿入孔（２１）に挿入された状態で照明器具本体（２）側の係止受部（２２）と係止されるアダプタを有する天井直付け照明器具の取り付け装置であって、アダプタ（１）は、
側壁部（３２）から突出するように付勢され、前記係止受部（２２）に係止される係止位置から前記係止受部（２２）より離脱される解除位置まで進退自在に設けられる１対の係止部材と、
前記各係止部材を相互に連結するとともに、揺動自在に支持され、揺動させることにより係止部材を連動させて解除位置に後退させる連結部材（７）と、
下側に露出して揺動操作により前記連結部材（７）を揺動させる解除操作部（８）とを備えた。
【００１２】
請求項２に記載の発明では、各係止部材と連結部材（７）とが連結される連結位置が係止部材の進退方向と交差する方向に並んでおり、連結部材（７）を揺動自在に支持する支持位置が、前記各連結位置の間に設けられることとした。
【００１３】
請求項３に記載の発明では、係止部材の後部の一側に延設部が形成されるとともに他側に退避用凹欠部が形成され、一方の係止部材の延設部と他の係止部材の退避用凹欠部とが互いに対向するように配設されており、各延設部で連結部材（７）と連結されることとした。
【００１４】
請求項４に記載の発明では、連結部材（７）または解除操作部（８）に係脱自在であって、連結部材（７）または解除操作部（８）に係合させることにより、連結部材（７）の揺動を阻止するロック機構（Ｌ）を設けることとした。
【発明の効果】
【００１５】
従って、請求項１から４に記載の発明によれば、１対の係止部材が連結部材（７）によって連結されているため、解除操作部（８）が揺動操作されると両方の係止部材が連動して係止位置と解除位置との間を進退する。一方の係止部材が係止状態であって他方の係止部材が解除状態となる不完全な取り付け状態にはならない。従って、アダプタ（１）に照明器具本体（２）を取り付ける場合に、係止部材と係止受部（２２）とを確実に係止させることができ、照明器具本体（２）がアダプタ（１）から不用意に外れない天井直付け照明器具の取り付け装置を提供することができる。
【００１６】
また、請求項１から４に記載の発明によれば、１対の係止部材が連結部材（７）によって連結されているため、照明器具本体（２）がテーパ面（５７）に当接すると、両方の係止部材が連動してアダプタ（１）の内部に押し込まれる。従って、アダプタ（１）に照明器具本体（２）を取り付ける際に、照明器具本体（２）が傾斜した状態で押し上げられても、両方の係止部材が円滑に内部に押し込まれ、照明器具本体（２）が係止部材に引っ掛かることなくアダプタ（１）に取り付けられて、円滑な取り付け作業ができる天井直付け照明器具の取り付け装置を提供することができる。
【００１７】
また、請求項１から４に記載の発明によれば、１対の係止部材が連結部材（７）によって連結されているため、アダプタ（１）から照明器具本体（２）を取り外す場合に、係止部材を全て同時にアダプタ（１）の内部に後退させることができる。従って、アダプタ（１）から照明器具本体（２）を取り外す作業が円滑に行なえる天井直付け照明器具の取り付け装置を提供することができる。
【００１８】
請求項４に記載の発明によれば、各係止部材が連結部材（７）で連結されているため、連結部材（７）または解除操作部（８）にロック部材（２Ｌ）を係合すると各係止部材の進退を阻止させることができる。各係止部材毎にロック部材（２Ｌ）を係合させる必要がない。従って、ロック部材（２Ｌ）を小さく簡単な構造として、ロック機構（Ｌ）を設けるためのスペースを小さくした天井直付け照明器具の取り付け装置を提供することができる。
【発明を実施するための最良の形態】
【００１９】
本発明を具体化した実施例について図１から図１６に従って説明する。本発明の実施例に係る天井直付け照明器具の取り付け装置は、照明器具本体２の挿入穴の周縁部に形成される係止受部２２に係止されるアダプタ１を有している。以下の説明ではアダプタ１が建物天井面Ｒに設置された引掛シーリングＳに取付けられた状態で建物天井面Ｒ側を上側として説明する。
【実施例１】
【００２０】
まず本発明の実施例１に係る天井直付け照明器具の取り付け装置について図１から図６に従って説明する。アダプタ１は、図１に示すように、アダプタ主体３、下面部材９、係止部材としての第１係止部材４、第２係止部材５、連結部材７、及び解除操作部８から構成される。まず、前記アダプタ主体３はアダプタ１の外殻を形成する部材である。図２に示すように、アダプタ主体３は略円盤状の上面部３１の周縁に側壁部３２が形成され、下側が開口されており、内部は中空である。アダプタ主体３の側壁部３２には１対の切り欠き部３３が形成される。切り欠き部３３からは係止部材が突出する。切り欠き部３３はアダプタ主体３の直径方向に相互に対向して形成される。切り欠き部３３の縁部から内部に向けて案内部３４が形成される。案内部３４は係止部材がアダプタ主体３の直径方向に進退するように案内する部分である。案内部３４は係止部材の幅に対応する間隔を確保して対向しており、係止部材は案内部３４に摺接して進退する。
【００２１】
第１係止部材４と第２係止部材５は照明器具本体２側の係止受部２２と係止される部分である。第１係止部材４と第２係止部材５とは直径方向に沿って逆向きに配設され、アダプタ主体３の中心に対して点対称の形状に形成されている。第１係止部材４は第１係止連結板４１と第１係止爪部４２とを有し、第２係止部材５は第２係止連結板５１と第２係止爪部５２とを有する。
【００２２】
前記第１係止連結板４１は第１係止部材４の後端側に設けられており、後記連結部材７と連結される部分である。第１係止連結板４１の後部の一側には延設部としての第１延設部４３が形成され、他側には退避用凹欠部としての第１退避用凹欠部４４が形成される。第１延設部４３には後記連結部材７と連結するための第１連結用孔４５が穿設される。第１連結用孔４５は第１係止部材４の進退方向と直交する方向に長く形成された長孔である。
【００２３】
前記第２係止連結板５１は第２係止部材５の後端側に設けられており、後記連結部材７と連結される部分である。第２係止連結板５１の後部には、前記第１延設部４３に対向する位置に退避用凹欠部としての第２退避用凹欠部５４が形成される。また、前記第１退避用凹欠部４４に対向する位置に延設部としての第２延設部５３が形成される。第２延設部５３には後記連結部材７と連結するための第２連結用孔５５が穿設される。第２連結用孔５５は第２係止部材５の進退方向と直交する方向に長く形成された長孔である。第１連結用孔４５と第２連結用孔５５とはアダプタ主体３の中心に対して点対称の位置に形成される。
【００２４】
前記第１係止爪部４２は第１係止部材４の前端側に設けられており、アダプタ主体３の側壁部３２から図示左側に突出する部分である。第１係止爪部４２は照明器具本体２側の係止受部２２に係止される受け面５６を上段と下段とに有しており、２段に形成されている。第１係止爪部４２の下面にはテーパ面５７が形成されている。第１係止爪部４２の後部には後記弾性バネ６の一端が当接するバネ受部５８が形成される（図４参照。）。
【００２５】
前記第２係止爪部５２は第２係止部材５の前端側に設けられており、アダプタ主体３の側壁部３２から図示右側に突出する部分である。第２係止爪部５２は照明器具本体２側の係止受部２２に係止される受け面５６を上段と下段とに有しており、２段に形成されている。第２係止爪部５２の下面にはテーパ面５７が形成されている。第２係止爪部５２の後部には後記弾性バネ６の他端が当接するバネ受部５８が形成される（図４参照。）。
【００２６】
弾性バネ６は前記第１係止部材４と第２係止部材５とをアダプタ主体３の側壁部３２から突出するように付勢する部材である。弾性バネ６の長さは、弾性バネ６の両端を第１係止部材４と第２係止部材５とに当接させ、両方の係止部材が係止位置にある状態において、やや圧縮された状態となる長さとする。
【００２７】
連結部材７は前記第１係止部材４と第２係止部材５とを連結する部材である。連結部材７は連結部主体７１を有する。連結部主体７１は円盤状の部材であり、上側に支軸７２及び第１連結軸７３、第２連結軸７４が立設される。支軸７２は後記下面部材９に連結部材７を揺動自在に支持させる部分である。支軸７２は連結部主体７１の中央に突設される円柱状の軸部である。支軸７２の高さは後記下面部材９の厚みより僅かに高い。第１連結軸７３は第１係止連結板４１の第１連結用孔４５に揺動自在に嵌入されて連結部材７と第１係止部材４とを連結する部分であり、第２連結軸７４は第２係止連結板５１の第２連結用孔５５に揺動自在に嵌入されて連結部材７と第２係止部材５とを連結する部分である。第１連結軸７３と第２連結軸７４は連結部主体７１と同心円の円周上であって、連結部主体７１の中心に対して点対称の位置に立設される。
【００２８】
解除操作部８は作業者が把持して連結部材７を揺動操作する部分である。解除操作部８は連結部材７の下側に突設される。解除操作部８の側面には指で操作しやすいように凹部が形成されており、揺動操作させる方向も示している。
【００２９】
下面部材９は前記アダプタ主体３の下面の開口を閉塞させる円盤状の部材である。中央部に前記連結部材７の支軸７２が嵌入される支軸用孔９１が形成されている。また、前記支軸用孔９１を囲むように第１揺動用孔９２と第２揺動用孔９３とが形成される。第１揺動用孔９２は前記連結部材７の第１連結軸７３が貫通する部分である。また、第２揺動用孔９３は前記連結部材７の第２連結軸７４が貫通する部分である。第１揺動用孔９２及び第２揺動用孔９３はそれぞれ第１連結軸７３及び第２連結軸７４の揺動領域に沿って形成された長孔である。下面部材９の周縁部には前記アダプタ側コード１２が貫通するためのアダプタ側コード用孔９４が形成される。
【００３０】
前記アダプタ主体３の上面部３１には、上側に向けて１対の電極爪１１が突設される（図４参照。）。電極爪１１は従来公知のものであって、引掛シーリングＳに電気的に接続された状態で取り付けられてアダプタ１を引掛シーリングＳに取り付ける部分である。電極爪１１に電気的に接続されたアダプタ側コード１２はアダプタ主体３の内部と前記下面部材９を貫通してアダプタ１の下側に突出される。アダプタ側コード１２の先端には照明器具本体２に電気的に接続されるアダプタ側雄コネクタ１３が設けられる（図１参照。）。
【００３１】
前記アダプタ主体３の上面部３１には、逆止爪が出没自在に形成される（図示省略。）。逆止爪も従来公知のものであって、引掛シーリングＳに取り付けたアダプタ１が不用意に揺動して脱落することを防止するためのものである。アダプタ主体３の側壁部３２には逆止爪を操作する逆止爪解除ボタンが設けられる（図示省略。）。逆止爪解除ボタンを押すと逆止爪が没入し、引掛シーリングＳに取り付けられたアダプタ１が引掛シーリングＳに対して揺動可能となって取り外すことが可能となる。
【００３２】
次にアダプタ１の組み立てについて説明する。まず、第１係止部材４と第２係止部材５とをそれぞれアダプタ主体３の案内部３４の間に収容させる。図２に示すように、第１係止爪部４２と第２係止爪部５２とをそれぞれアダプタ主体３の外側に向け、テーパ面５７が下側となるように収容させる。このとき第１係止部材４と第２係止部材５のバネ受け部の間に弾性バネ６を介在させる（図４参照。）。弾性バネ６は第１係止部材４と第２係止部材５が係止位置にある場合においてやや圧縮状態とされ、第１係止部材４と第２係止部材５とをアダプタ主体３の側壁部３２から突出するように付勢している。第１係止部材４と第２係止部材５とはアダプタ主体３の直径方向に沿って互いに反対向きに配置されており、第１延設部４３と第２退避用凹欠部５４とが対向し、第１退避用凹欠部４４と第２延設部５３とが対向している。また、第１連結用孔４５と第２連結用孔５５は係止部材が進退する方向に対して交差する方向に並んでいる（図３参照。）。
【００３３】
次に、下面部材９に連結部材７を装着する。図２に示すように、下面部材９の支軸用孔９１には下側から連結部材７の支軸７２を嵌入させるとともに、下面部材９の第１揺動用孔９２には連結部材７の第１連結軸７３を嵌入させ、第２揺動用孔９３には第２連結軸７４を嵌入させる。下面部材９の上側から支軸７２の上部に挟持板７８を装着して、支軸用孔９１から支軸７２が抜脱することを防止する。連結部材７は下面部材９に対して揺動させることができ、揺動領域は各連結軸が揺動用孔の一端に当接する位置から他端に当接する位置までの領域である。
【００３４】
連結部材７を装着した下面部材９をアダプタ主体３に装着する。連結部材７の第１連結軸７３は第１係止部材４の第１連結用孔４５に嵌入し、連結部材７の第２連結軸７４は第２係止部材５の第２連結用孔５５に嵌入する（図３参照。）。下面部材９でアダプタ主体３の開口を閉塞させ、ネジで取り付ける。
【００３５】
図３に示すように、第１係止部材４と連結部材７とは第１連結用孔４５の位置を連結位置として連結され、第２係止部材５と連結部材７とは第２連結用孔５５の位置を連結位置として連結される。これらの連結位置は係止部材の進退方向と交差する位置に並んでいる。また、連結部材７はアダプタ１の中央、すなわち、前記各連結位置の間を支持位置として揺動自在に支持されている。これらの位置関係により、解除操作部８を操作して連結部材７を揺動させることで、第１係止部材４と第２係止部材５とを互いに逆方向に動かすことができる。従って、この１つの解除操作部８の揺動操作によって、第１係止部材４と第２係止部材５とを進退させることができる。
【００３６】
次に本発明の実施例１に係る天井直付け照明器具の取り付け装置の使用について説明する。まずアダプタ１は建物天井面Ｒに設置された引掛シーリングＳに電気的に接続された状態で取り付けられる。一方、照明器具本体２の天板にはアダプタ１を挿入しうる挿入孔２１が形成される。係止受部２２としての挿入孔２１の周縁部は平坦に形成されており、係止部材の受け面５６に当接する形状とされる。
【００３７】
照明器具本体２の挿入孔２１にアダプタ１が挿入されるように照明器具本体２を持ち上げ、挿入孔２１の端縁部を係止部材のテーパ面５７に接触させると、第１係止部材４と第２係止部材５とは連結部材７で連結されているため、両方の係止部材が弾性バネ６の付勢力に抗してアダプタ１内部に同時に押し込まれる（図５、図６参照）。照明器具本体２が傾斜した状態で押し上げられた場合であっても、一方の係止部材が押し込まれると連結部材７で連結された他方の係止部材が連動するため、両方の係止部材が同時にアダプタ１内部に押し込まれる。アダプタ１の係止部材と照明器具本体２の係止受部２２とが対向する位置まで照明器具本体２が押し上げられると、両方の係止部材は連動してアダプタ１の側壁部３２から外側に突出して係止受部２２と係止され、照明器具本体２が建物天井面Ｒに取り付けられる（図３、図４参照）。
【００３８】
次に、照明器具本体２をアダプタ１から取り外す場合について説明する。照明器具本体２を取り外す場合、一方の手で照明器具本体２を支持しながら、他方の手で解除操作部８の揺動操作を行なう。図３において解除操作部８を図示右回転方向に揺動させると、第１係止部材４と第２係止部材５とが連結部材７で連結されていることにより、図５に示すように、連動してアダプタ１の内部に後退する。図５、図６に示すように、解除操作部８を右方向に限度まで揺動させた状態では、第１係止部材４、第２係止部材５ともにアダプタ主体３の内部に収容される。第１係止部材４及び第２係止部材５が係止受部２２に対して解除位置まで移動すると、アダプタ１と照明器具本体２との係止が解除されて照明器具本体２を取り外すことができる。
【００３９】
実施例１では以下の効果を有する。
【００４０】
（イ）第１係止部材４と第２係止部材５とが連結部材７によって連結されているため、解除操作部８が揺動操作されると両方の係止部材が連動して係止位置と解除位置との間を進退する。一方の係止部材が係止状態であって他方の係止部材が解除状態となる不完全な取り付け状態にはならない。従って、アダプタ１に照明器具本体２を取り付ける場合に、第１係止部材４及び第２係止部材５と係止受部２２とを確実に係止させることができる。
【００４１】
（ロ）第１係止部材４と第２係止部材５とが連結部材７によって連結されているため、照明器具本体２がテーパ面５７に当接すると、両方の係止部材が連動してアダプタ１内部に押し込まれる。従って、アダプタ１に照明器具本体２を取り付ける際に、照明器具本体２が傾斜した状態で押し上げられても、両方の係止部材が円滑に押し込まれ、照明器具本体２が係止部材に引っ掛かることなくアダプタ１に取り付けることができる。
【００４２】
（ハ）第１係止部材４と第２係止部材５とが連結部材７によって連結されており、解除操作部８を揺動操作することで両方の係止部材を係止位置と解除位置との間で進退させることができる。アダプタ１に照明器具本体２を取り付ける場合に、係止部材が係止位置に戻らない状態になっても、解除操作部８を揺動操作すれば係止部材を容易に係止位置に戻すことができる。
【００４３】
（ニ）第１係止部材４と第２係止部材５とが連結部材７によって連結されているため、アダプタ１から照明器具本体２を取り外す場合に、第１係止部材４と第２係止部材５とを同時にアダプタ１内に後退させることができる。従って、アダプタ１から照明器具本体２を取り外す作業を円滑に行なうことができる。
【００４４】
（ホ）アダプタ１から照明器具本体２を外す場合、作業者は一方の手で照明器具本体２を支持しながら、他方の手で解除操作部８の揺動操作を行なえばよい。指先だけでなく手全体を用いて解除操作部８を揺動操作することができるため、軽い操作力で作業を行なうことができる。作業者は多少無理な姿勢であっても作業を行ないやすく、作業性が高い。
【００４５】
（ヘ）アダプタ１から照明器具本体２を外す場合、一方の手で照明器具本体２をしっかり支持しながら、他方の手で解除操作部８を軽い力で操作してアダプタ１から照明器具本体２を取り外すことができるため、照明器具本体２のバランスを崩さずにアダプタ１から照明器具本体２を取り外すことができ、安全に作業を行なうことができる。
【００４６】
（ト）第１係止部材４と第２係止部材５とが連動しており、連結部材７と連結されているため、両方の係止部材が係止位置にあるか解除位置にあるかを連結部材７または解除操作部８の位置で確認することができ、不完全な取り付けを防止することができる。
【００４７】
（チ）１本の弾性バネ６で第１係止部材４と第２係止部材５とを付勢させる構成としたことにより、部品点数の削減及び、組み立ての手数を削減することができ、天井直付け照明器具の取り付け装置を安価に提供することができる。
【００４８】
（リ）第１係止部材４と第２係止部材５は、第１延設部４３に対向する位置に第２退避用凹欠部５４が形成され、第１退避用凹欠部４４に対向する位置に第２延設部５３が形成される。このため、第１係止部材４と第２係止部材５とがアダプタ１の内部に後退し、第１係止部材４の後端と第１係止部材４の後端とが接近しても第１延設部４３と第２延設部５３が接触しない。従って、アダプタ１を小型化することができる。
【００４９】
（ヌ）第１延設部４３と第２延設部５３を形成したことにより、第１係止部材４と連結部材７との連結位置と、第２係止部材５と連結部材７との連結位置とは、係止部材の進退方向と交差する方向に並び、かつアダプタ１の中心から離れた位置となる。このため、第１係止部材４と第２係止部材５を進退させる際に必要な解除操作部８の揺動操作量を少なくすることができるとともに、操作力を軽くすることができる。
【００５０】
（ル）解除操作部８を操作して連結部材７を揺動させることで、係止部材を係止位置から解除位置まで後退させ、弾性バネ６を圧縮させる。このため、係止部材に直接解除操作部８が取り付けられた場合に比べて軽い操作力で係止部材を操作することができる。
【００５１】
（ヲ）連結部材７に突設した解除操作部８は揺動操作を連想させるため、特に操作方法を明示しなくても作業方法が分かりやすく、照明器具本体２の取り付け及び取り外し作業のミスを防止することができる。
【実施例２】
【００５２】
次に本発明の実施例２に係る天井直付け照明器具の取り付け装置について図７に従って説明する。実施例２では、連結部材７がアダプタ１内部にある点が前記実施例１とは異なっている。
【００５３】
図７に示すように、アダプタ１の連結部材７は、円盤状の形状であり、下面部材９の上側に揺動自在に支持されている。連結部材７には直径方向に沿って解除操作部８が形成されている。下面部材９には前記解除操作部８の揺動領域に対応する形状の解除操作部用孔９５が形成されており、解除操作部８はこの孔から露出している。係止部材の揺動操作は、解除操作部８の何れか一方又は双方を揺動操作することによって行なう。
【００５４】
実施例２によれば、実施例１の（イ）から（ヲ）の効果を有する他、以下の効果を有する。すなわち、解除操作部８は２ヶ所に露出しているが、いずれも１つの連結部材７に形成されたものであり、２つの解除操作部８を同時に把持して揺動操作しても、一方の解除操作部８を把持して揺動操作しても、いずれにしても第１係止部材４及び第２係止部材５を同時に後退させることができる。
【００５５】
また、連結部材７をアダプタ１内部に配設したことにより、アダプタ１の下面部分に連結部材７が露出せず、アダプタ１を小型にすることができる。
【実施例３】
【００５６】
次に本発明の実施例３に係る天井直付け照明器具の取り付け装置について図８から図１０に従って説明する。実施例２では、ロック機構Ｌを設けた点が前記の実施例とは異なっている。
【００５７】
本実施例におけるロック機構Ｌは、ロック基部１Ｌとロック部材２Ｌとを有する。ロック機構Ｌは下面部材９に固定される。下面部材９に固定されたロック機構Ｌのロック部材２Ｌが解除操作部８に係合することにより、下面部材９に対する連結部材７の揺動を阻止し、係止部材が係止受部２２から不用意に離脱されることを防止する。ロック機構Ｌは合成樹脂素材を用いて一体成型されている。
【００５８】
下面部材９にはロック基部１Ｌを係合させるためのロック機構用切り欠き９６が形成されている。ロック機構用切り欠き９６は、係止位置にある解除操作部８の延長線上に形成される。
【００５９】
前記ロック基部１Ｌはロック機構Ｌを下面部材９に係合させる部材である。ロック基部１Ｌの側面には、前記ロック機構用切り欠き９６の端部を挟持してロック機構Ｌを固定するための溝部１１Ｌが形成される。
【００６０】
ロック部材２Ｌは解除操作部８に係合して連結部材７の揺動を阻止する部材である。ロック部材２Ｌとロック基部１Ｌとは、前述のように一体成型手段で形成されており、ロック部材２Ｌの基端部は前記ロック基部１Ｌの下端部において起倒自在に繋がっている。また、ロック部材２Ｌの中央部とロック基部１Ｌの上端部とは、起倒部材２１Ｌによっても連結されている。起倒部材２１Ｌはロック基部１Ｌに対してロック部材２Ｌを横倒させた状態又は起立させた状態のいずれかとなるように付勢する部分である。起倒部材２１Ｌは、「くの字」形に屈曲した状態に形成されており、ロック部材２Ｌが横倒または起立状態のいずれでもない状態では「くの字」が伸ばされた状態となり、復元力により横倒又は起立状態になるように付勢する。ロック部材２Ｌの前端部には、間隙２２Ｌが形成される。間隙２２Ｌの幅は解除操作部８の幅に対応している。
【００６１】
ロック機構Ｌの取り付けは、図８に示すように、ロック機構Ｌのロック基部１Ｌを下面部材９に差し込むことにより取り付ける。アダプタ主体３に下面部材９を装着する前において、下面部材９に形成したロック機構用切り欠き９６がロック基部１Ｌの溝部１１Ｌに嵌まるように差し込む。この状態で下面部材９をアダプタ主体３に装着して取り付けを完了する。
【００６２】
次にロック機構Ｌの操作について説明する。図９に示す状態では、ロック機構Ｌは解除状態である。アダプタ１の係止部材は係止位置にあり、解除操作部８も係止位置にある。図９の状態では、ロック部材２Ｌは起立状態である。起倒部材２１Ｌによりロック部材２Ｌは起立状態を保持するように付勢されている。この状態においては、照明器具本体２をアダプタ１に取り付け、または取り外すことができる。
【００６３】
図１０に示す状態では、ロック機構Ｌはロック状態である。アダプタ１の係止部材は係止位置にあり、解除操作部８も係止位置にある。図１０の状態では、ロック部材２Ｌは横倒状態である。ロック部材２Ｌの間隙２２Ｌに解除操作部８が挟持されており、解除操作部８を揺動操作することができない状態である。起倒部材２１Ｌによりロック部材２Ｌは横倒状態を保持するように付勢されている。
【００６４】
実施例３によれば、実施例１の（イ）から（ヲ）の効果を有する他、以下の効果を有する。すなわち、第１係止部材４と第２係止部材５とが連結部材７によって連結されているため、解除操作部８に１のロック部材２Ｌを係合すると各係止部材の進退を阻止させることができる。各係止部材毎にロック部材２Ｌを係合させる必要がない。従って、ロック部材２Ｌを小さく簡単な構造として、ロック機構Ｌを設けるためのスペースを小さくした天井直付け照明器具の取り付け装置を提供することができる。
【００６５】
また、ロック機構Ｌのロック基部１Ｌ及びロック部材２Ｌは合成樹脂素材を用いて一体成型されているため、部品点数を削減することができるとともに、組み立ての手数を削減することができ、天井直付け照明器具の取り付け装置を安価に提供することができる。
【実施例４】
【００６６】
次に本発明の実施例４に係る天井直付け照明器具の取り付け装置について図１１と図１２に従って説明する。実施例４では、ロック機構Ｌの構成が前記実施例とは異なっている。
【００６７】
本実施例におけるロック機構Ｌはロック部材２Ｌを有している。ロック部材２Ｌは連結部材７に係脱自在であって、連結部材７に係合して連結部材７の揺動を阻止する部材である。
ロック部材２Ｌは下面部材９の径方向にスライド自在に装着される。下面部材９には径方向に長い透孔（図示せず。）が穿設されており、ロック部材２Ｌの上側には前記透孔を貫通する脚部（図示せず。）が形成され、脚部の先端にロック部材２Ｌが抜脱することを防止する膨出部（図示せず。）が形成されている。ロック部材２Ｌは下面部材９の径方向にスライドして連結部材７の揺動領域内と揺動領域外との範囲を進退自在となるように装着される。
【００６８】
連結部材７には前記ロック部材２Ｌを係合させるためのロック用切り欠き７５が形成されている。ロック用切り欠き７５は、ロック部材２Ｌが嵌入しうる形状に形成される。ロック用切り欠き７５は、連結部材７が係止位置にある場合にロック部材２Ｌと対向する位置に形成される。
【００６９】
次にロック機構Ｌの操作について説明する。図１１に示す状態では、ロック機構Ｌは解除状態である。アダプタ１の係止部材は係止位置にあり、解除操作部８も係止位置にある。図１１の状態では、ロック部材２Ｌを外側方向にスライドさせてロック用切り欠き７５から離脱した状態である。この状態においては、照明器具本体２をアダプタ１に取り付け、または取り外すことができる。
【００７０】
図１２に示す状態では、ロック機構Ｌはロック状態である。アダプタ１の係止部材は係止位置にあり、解除操作部８も係止位置にある。図１２の状態では、ロック部材２Ｌを内側方向スライドさせてロック用切り欠き７５に係合した状態であり、連結部材７を揺動させることができない状態である。
【００７１】
実施例４によれば、実施例１の（イ）から（ヲ）の効果を有する他、第１係止部材４と第２係止部材５とが連結部材７によって連結されているため、連結部材７に１のロック部材２Ｌを係合すると各係止部材の進退を阻止させることができる。各係止部材毎にロック部材２Ｌを係合させる必要がない。従って、ロック部材２Ｌを小さく簡単な構造として、ロック機構Ｌを設けるためのスペースを小さくした天井直付け照明器具の取り付け装置を提供することができる。
【実施例５】
【００７２】
次に本発明の実施例５に係る天井直付け照明器具の取り付け装置について図１３と図１４に従って説明する。実施例５では、ロック機構Ｌの構成が前記実施例とは異なっている。
【００７３】
本実施例におけるロック機構Ｌはロック部材２Ｌ、第１ロック用孔７６及び第２ロック用孔９７を有する。第１ロック用孔７６は透孔であって連結部材７に形成されている。第２ロック用孔９７は第１ロック用孔７６と同径の透孔であって、下面部材９に形成されている。第１ロック用孔７６と第２ロック用孔９７とは、連結部材７が係止位置にある状態において、重なる位置に形成されている。
【００７４】
ロック部材２Ｌは前記第１ロック用孔７６及び第２ロック用孔９７とに係合する部材である。ロック部材２Ｌは連結部材７が係止位置にある状態において、第１ロック用孔７６及び第２ロック用孔９７に貫通して係合し、連結部材７の揺動を阻止する。ロック部材２Ｌはロック軸部２３Ｌとロック主体２４Ｌとを有する。ロック軸部２３Ｌは第１ロック用孔７６及び第２ロック用孔９７に貫通しうる径を有し、連結部材７と下面部材９とを貫通する長さを有する。ロック軸部２３Ｌの先端にはロック部材２Ｌが不用意に抜けることを防止する膨出部２５Ｌが形成されており、第１ロック用孔７６及び第２ロック用孔９７の径より太いが、弾性変形によって縮径するため、抜き差しすることができる。ロック主体２４Ｌはロック部材２Ｌを抜き差し操作する際に把持する部分であって、第１ロック用孔７６及び第２ロック用孔９７の径より太く形成されている。また、ロック部材２Ｌは紐体２６Ｌによってアダプタ主体３と接続されており、ロック部材２Ｌを抜いた際に脱落しないようにしている。
【００７５】
次にロック機構Ｌの操作について説明する。図１３に示す状態では、ロック機構Ｌは解除状態である。アダプタ１の係止部材は係止位置にあり、解除操作部８も係止位置にあって、第１ロック用孔７６及び第２ロック用孔９７は重なっている。図１３の状態では、ロック部材２Ｌを第１ロック用孔７６及び第２ロック用孔９７から抜脱した状態である。この状態においては、照明器具本体２をアダプタ１に取り付け、または取り外すことができる。
【００７６】
図１４に示す状態では、ロック機構Ｌはロック状態である。アダプタ１の係止部材は係止位置にあり、解除操作部８も係止位置にあって、第１ロック用孔７６及び第２ロック用孔９７は重なっている。図１４の状態では、ロック部材２Ｌが第１ロック用孔７６及び第２ロック用孔９７を貫通しており、連結部材７と下面部材９とが係合された状態である。
【００７７】
実施例５によれば、実施例１の（イ）から（ヲ）の効果を有する他、第１係止部材４と第２係止部材５とが連結部材７によって連結されているため、連結部材７と下面部材９に１のロック部材２Ｌを係合すると各係止部材の進退を阻止させることができる。各係止部材毎にロック部材２Ｌを係合させる必要がない。従って、ロック部材２Ｌを小さく簡単な構造として、ロック機構Ｌを設けるためのスペースを小さくした天井直付け照明器具の取り付け装置を提供することができる。
【実施例６】
【００７８】
次に本発明の実施例６に係る天井直付け照明器具の取り付け装置について図１５と図１６に従って説明する。実施例６におけるロック機構Ｌは、電源供給用の照明器具側雄コネクタ２３が照明器具本体２に取り付けられ、アダプタ１に設けられたアダプタ側雌コネクタ１４に差し込んで電源を供給する照明器具の場合に採用される。
【００７９】
本実施例のロック機構Ｌは、照明器具本体２に取り付けられた照明器具側雄コネクタ２３、アダプタ１に取り付けられたアダプタ側雌コネクタ１４、及びコネクタ貫通用孔７７から構成される。アダプタ側雌コネクタ１４は連結部材７の揺動領域内に設けられ、下面部材９の下側に露出している。コネクタ貫通用孔７７は照明器具側雄コネクタ２３が貫通しうる透孔であって連結部材７に形成されている。コネクタ貫通用孔７７は、連結部材７が係止位置にある状態において、前記アダプタ側雌コネクタ１４に重なる位置に形成されている。
【００８０】
次にロック機構Ｌの操作について説明する。図１５に示す状態では、ロック機構Ｌは解除状態である。アダプタ１の係止部材は係止位置にあり、解除操作部８も係止位置にあって、アダプタ側雌コネクタ１４及びコネクタ貫通用孔７７は重なっている。図１５の状態では、照明器具側雄コネクタ２３をアダプタ側雌コネクタ１４から抜脱した状態である。この状態においては、照明器具本体２をアダプタ１に取り付け、または取り外すことができる。
【００８１】
図１６に示す状態では、ロック機構Ｌはロック状態である。アダプタ１の係止部材は係止位置にあり、解除操作部８も係止位置にあって、アダプタ側雌コネクタ１４及びコネクタ貫通用孔７７は重なっている。図１６の状態では、照明器具側雄コネクタ２３がコネクタ貫通用孔７７を貫通し、アダプタ側雌コネクタ１４に差し込まれており、連結部材７と下面部材９とが係合された状態にある。
【００８２】
実施例６によれば、実施例１の（イ）から（ヲ）の効果を有する他、第１係止部材４と第２係止部材５とが連結部材７によって連結されているため、連結部材７と下面部材９に照明器具本体２の照明器具側雄コネクタ２３を係合すると各係止部材の進退を阻止させることができる。各係止部材毎にロック部材２Ｌを係合させる必要がない。従って、ロック部材２Ｌを小さく簡単な構造として、ロック機構Ｌを設けるためのスペースを小さくした天井直付け照明器具の取り付け装置を提供することができる。
【００８３】
また、ロック部材２Ｌの代わりに照明器具本体２に取り付けられた照明器具側雄コネクタ２３を利用しているため、部品点数の削減及び、組み立ての手数を削減することができ、天井直付け照明器具の取り付け装置を安価に提供することができる。
【００８４】
なお、実施の形態は上記に限定されるものではなく、例えば次のように変更してもよい。
【００８５】
照明器具本体２の係止受部２２は、アダプタ１が挿入される挿入穴の周縁部を平坦に形成するほか、挿入穴の周縁部にアダプタ１の係止部材が係止される溝を形成するようにしてもよい。
【００８６】
連結部材７の形状は円盤状に限定されず、板状体のほか、係止部材を連結できる形状であればよい。
【００８７】
また、前記各実施例から把握できる請求項記載以外の発明について、以下にその効果とともに記載する。
【００８８】
請求項１から４のいずれかに記載の発明において、圧縮状態の弾性バネ６が係止部材の進退方向に沿って配設され、弾性バネ６の一端が第１係止部材４に当接され、弾性体の他端が第２係止部材５に当接される。この場合、１本の弾性バネ６で第１係止部材４と第２係止部材５とを付勢させる構成としたことにより、部品点数の削減及び、組み立ての手数を削減することができ、天井直付け照明器具の取り付け装置を安価に提供することができる。
【図面の簡単な説明】
【００８９】
【図１】実施例１に係る天井直付け照明器具の取り付け装置のアダプタ１を下側から見た斜視図である。
【図２】アダプタ１の斜視分解図である。
【図３】アダプタ１の係止部材が係止位置にある場合における下面図である。
【図４】図３のＡ―Ａ線における断面図である。
【図５】アダプタ１の係止部材が解除位置にある場合における下面図である。
【図６】図５のＢ―Ｂ線における断面図である。
【図７】実施例２に係る天井直付け照明器具の取り付け装置のアダプタ１を下側から見た斜視図である。
【図８】実施例３に係る天井直付け照明器具の取り付け装置において、アダプタ１のロック機構Ｌを取り付ける場合の斜視分解図である。
【図９】ロック機構Ｌが解除状態にある場合における斜視図である。
【図１０】ロック機構Ｌがロック状態にある場合における斜視図である。
【図１１】実施例４に係る天井直付け照明器具の取り付け装置において、アダプタ１のロック機構Ｌが解除状態にある場合における斜視図である。
【図１２】ロック機構Ｌがロック状態にある場合における斜視図である。
【図１３】実施例５に係る天井直付け照明器具の取り付け装置において、アダプタ１のロック機構Ｌが解除状態にある場合における斜視図である。
【図１４】ロック機構Ｌがロック状態にある場合における斜視図である。
【図１５】実施例６に係る天井直付け照明器具の取り付け装置において、アダプタ１のロック機構Ｌが解除状態にある場合における斜視図である。
【図１６】ロック機構Ｌがロック状態にある場合における斜視図である。
【符号の説明】
【００９０】
Ｒ        建物天井面
Ｓ        引掛シーリング
１        アダプタ
１１      電極爪
１２      アダプタ側コード
１３      アダプタ側雄コネクタ
１４      アダプタ側雌コネクタ
２        照明器具本体
２１      挿入孔
２２      係止受部
２３      照明器具側雄コネクタ
３        アダプタ主体
３１      上面部
３２      側壁部
３３      切り欠き部
３４      案内部
４        第１係止部材
４１      第１係止連結板
４２      第１係止爪部
４３      第１延設部
４４      第１退避用凹欠部
４５      第１連結用孔
５        第２係止部材
５１      第２係止連結板
５２      第２係止爪部
５３      第２延設部
５４      第２退避用凹欠部
５５      第２連結用孔
５６      受け面
５７      テーパ面
５８      バネ受部
６        弾性バネ
７        連結部材
７１      連結部主体
７２      支軸
７３      第１連結軸
７４      第２連結軸
７５      ロック用切り欠き
７６      第１ロック用孔
７７      コネクタ貫通用孔
７８      挟持板
８        解除操作部
９        下面部材
９１      支軸用孔
９２      第１揺動用孔
９３      第２揺動用孔
９４      アダプタ側コード用孔
９５      解除操作部用孔
９６      ロック機構用切り欠き
９７      第２ロック用孔
Ｌ        ロック機構
１Ｌ      ロック基部
１１Ｌ    溝部
２Ｌ      ロック部材
２１Ｌ    起倒部材
２２Ｌ    間隙
２３Ｌ    ロック軸部
２４Ｌ    ロック主体
２５Ｌ    膨出部
２６Ｌ    紐体
【図１】
2005216522.tif 000003
【図２】
2005216522.tif 000004
【図３】
2005216522.tif 000005
【図４】
2005216522.tif 000006
【図５】
2005216522.tif 000007
【図６】
2005216522.tif 000008
【図７】
2005216522.tif 000009
【図８】
2005216522.tif 000010
【図９】
2005216522.tif 000011
【図１０】
2005216522.tif 000012
【図１１】
2005216522.tif 000013
【図１２】
2005216522.tif 000014
【図１３】
2005216522.tif 000015
【図１４】
2005216522.tif 000016
【図１５】
2005216522.tif 000017
【図１６】
2005216522.tif 000018